(57)【要約】【課題】固定具本体とフック体に負荷をかけることなく製造することができ、かつ、フック体が滑らかに回転するマグネット固定具を提供する。【解決手段】磁石２を装着してなる台座４、蓋部材７、台座４と蓋部材７の間に回転自在に保持されてなる一対の切欠部５２を有する回転部材５とからなる固定具本体１０と、フック部６２とフック部６に連接された連結部６５と連結部６５内方に曲折された一対の係止部６１からなるフック体６を有し、フック体６の係止部６１は回転部材５の切欠部５２内に配置されてなり、台座４と蓋部材７の間に回転部材５が保持された状態で、フック体６は固定具本体１０に係止されるマグネット固定具１。【選択図】図４
2018019834.tif 000002
【特許請求の範囲】
【請求項１】
磁石を装着してなる台座と、蓋部材と、前記台座と前記蓋部材の間に回転自在に保持されてなる一対の切欠部を有する回転部材とからなる固定具本体と、
フック部と前記フック部に連接された連結部と前記連結部内方に曲折された一対の係止部からなるフック体を有し、
前記フック体の前記係止部は前記回転部材の前記切欠部内に配置されてなり、前記台座と前記蓋部材の間に前記回転部材が保持された状態で、前記フック体は前記固定具本体に係止されてなることを特徴とするマグネット固定具。
【請求項２】
台座、回転部材及び蓋部材に軸通する軸部材により前記回転部材は台座と蓋部材に対して回転自在に保持されてなることを特徴とする請求項１に記載のマグネット固定具。
【請求項３】
フック体の係止部は、回転部材の切欠部内で回動自在に係止されてなることを特徴とする請求項１又は２記載のマグネット固定具。
【請求項４】
回転部材は、扁平円盤形状に形成されてなることを特徴とする請求項１乃至３のいずれかに記載のマグネット固定具。
【請求項５】
蓋部材の回転部材に対向する面には支柱部が設けられてなるとともに、前記回転部材には前記支柱部より大径の孔部が形成されてなり、前記支柱部が前記回転部材の前記孔部に挿入されてなることを特徴とする請求項１乃至４のいずれかに記載のマグネット固定具。
【請求項６】
係止部は、フック体の連結部内方の対向する位置に曲折されてなり、切欠部は回転部材の対向する位置に形成されてなることを特徴とする請求項１乃至５のいずれかに記載のマグネット固定具。
【請求項７】
台座は、磁石収納部を有することを特徴とする請求項１乃至６のいずれかに記載のマグネット固定具。
【請求項８】
台座の磁石収納部は、シート体で閉蓋されてなることを特徴とする請求項７に記載のマグネット固定具。
【請求項９】
シート体は、天然／合成ゴムまたは弾性類似素材にアルキド樹脂を主成分として硬化剤およびポリイソシアネートプレポリマーを混合して硬化させたウレタン系塗装剤を塗布したシートからなることを特徴とする請求項８に記載のマグネット固定具。
【請求項１０】
磁石は、ヨークに収納された状態で台座に装着されてなることを特徴とする請求項１乃至９のいずれかに記載のマグネット固定具。
【請求項１１】
軸部材はネジであることを特徴とする請求項２乃至１０のいずれかに記載のマグネット固定具。
【発明の詳細な説明】
【技術分野】
【０００１】
本発明はマグネット固定具に関し、特にフックを備えてなるマグネット式の固定具に関するものである。
【背景技術】
【０００２】
マグネットを備えてなる固定具本体と固定具本体に接続されてなるフックを有するマグネット固定具は複数存在する（例えば、特許文献１乃至１０）。
【０００３】
特許文献１所載の掛吊具は、取付面に対して固定される台座と、台座に対して回転可能に外嵌された回転部材と、回転部材の外周面に開口した軸受け凹部において回転部材に対して枢支されたフック体とを備え、軸受け凹部は、台座に対する回転部材の取付方向に開放されていて、台座には、軸受け凹部から前記取付方向へのフック体の脱落を阻止する鍔部が設けられている構成で、台座に回転部材を緊密に嵌め込み回転部材の離脱を防止する構造である。特許文献２所載のマグネットホルダーは、被着面に接着するマグネットと、当該マグネットを保持して当該マグネットと共に被着面に接着するホルダー本体と、このホルダー本体と被着面との間に位置するとともに、当該ホルダー本体に対して相対変位可能に設けられた中間部材と、前記ホルダー本体に相対回転可能に支持されるとともに前記中間部材に押圧力を付与する操作部材とを備え、前記操作部材は、前記ホルダー本体の周方向略半分領域を囲む略Ｃ字状の平面形状を備えたレバー状に設けられ、当該Ｃ字の中央部の操作領域に操作力を付与して前記操作部材の両側領域に設けられた作用点領域で前記中間部材に押圧力を付与したときに、前記ホルダー本体が角度変位して前記被着面から離れる構造である。特許文献３所載の磁性吊下具は、マグネットを取り付けたマグネット取付本体と、当該マグネット取付本体に、支軸を支点に回動自在に取り付けられると共に、吊下具を取り付けた吊下具取付本体と、前記支軸の上方に位置して、吸着時に前記壁面に近接するように前記吊下具取付本体に対して回転自在に設けられた壁当てとを備える構造で、吊下具取付本体に対して回転自在に設けられた壁当を備えている。特許文献４所載の磁性吊下具は本体の背面に上記磁石が固定され、上記本体の下部は切欠けを有し、当該切欠けの両側面は回転軸支持穴を有し、上記吊下げ部は、２本の回転軸と、フックと、を有し、上記吊下げ部は、上記２本の回転軸それぞれを上記回転軸支持穴に挿入することで本体に回転可能に支持され、上記押圧部は、操作部と、作用部と、上記２本の回転軸がそれぞれ挿入可能な空間である２つの回転軸挿入部と、を有し、上記押圧部は、上記２本の回転軸それぞれを上記２つの回転軸挿入部に挿入することで、上記２本の回転軸を中心に回転可能に当該２本の回転軸によって支持される構造であり、押圧部設置部を備えた構成となっている。特許文献５所載の掛止具は、裏面にホットメルト接着剤層を保持するベースと、このベースに設けられて被掛止物を掛脱可能に掛止するフックとを備える掛止具において、前記ベースの裏面にホットメルト接着剤層の一部を掴む凹所が備わっていることを特徴とする掛止具であり磁石を備えていない構造である。特許文献６所載の構造体及び掛吊具は第１部材と第２部材の間に回転部材を介在させてなる構造であるが、フックを、円周溝に径方向から入り込んで前記回転部材の回転を妨げることなく係合してなる構造である。特許文献７所載のマグネット付フリーフックは、固定部を形成する外側周縁部に囲み部を設け、且中心部に貫通孔を設けたヨークと、前記囲み部内に嵌挿する内側部位が中空状挿入部を有する磁石体と、裏面部より前方部にネジを設けた接続部を突設せしめたフランジと、左側壁面部と右側壁面部にフック体を構成する２本の係止部が嵌挿する対向状の凹部と、中心部に貫通孔を設けた回転体部と、ワッシャと、ナットとを別設してなる構成であり、ヨークの固定部を四辺形状にて形成し、且前記固定部の各隅部に止めネジを挿通する孔部を複数設けている。
【先行技術文献】
【特許文献】
【０００４】
【特許文献１】特許第５２１５７２７号公報
【特許文献２】特許第４７３４５５０号公報
【特許文献３】特許第４５２５０９６号公報
【特許文献４】実用新案登録第３１８９０３９号公報
【特許文献５】実用新案登録第３１７１６３１号公報
【特許文献６】特許第４６７４６６８号公報
【特許文献７】実用新案登録第３１２４０７９号公報
【特許文献８】実用新案登録第３１５６８８４号公報
【特許文献９】意匠登録第１３３９１３７号公報
【特許文献１０】意匠登録第１２０８４１６号公報
【発明の概要】
【発明が解決しようとする課題】
【０００５】
一般的にフックを固定具本体に対して回転、回動可能にしたタイプのマグネット固定具は、フックを回転部材に設けた凹部や穴部に挿入する構造、フックを備えた回転部材を台座に嵌めこむ構造のいずれかであった。しかしながら、上記従来の構造はフックの撓みを利用してフックを回転部材に凹部や穴部に挿入する時やフックを取り付けた回転部材を台座に嵌め込む時など、回転部材やフック等いずれかの部品に余計な負荷をかけることとなり製造時における部品の破損原因となる。また、上記従来の構造はフックの回転、回動時に、フックと回転部材間、或いは、回転部材と台座間に、摩擦を起こさざるを得ない構造であるため、フックが滑らかに回転、回動するものではなかった。
【０００６】
そこで本発明は、固定具本体とフック体に負荷をかけることなく製造することができ、かつ、フック体が滑らかに回転するマグネット固定具を提供することを目的とする。
【課題を解決するための手段】
【０００７】
本発明によれば、磁石を装着してなる台座と、蓋部材と、前記台座と前記蓋部材の間に回転自在に保持されてなる一対の切欠部を有する回転部材とからなる固定具本体と、フック部と前記フック部に連接された連結部と前記連結部内方に曲折された一対の係止部からなるフック体を有し、前記フック体の前記係止部は前記回転部材の前記切欠部内に配置されてなり、前記台座と前記蓋部材の間に前記回転部材が保持された状態で、前記フック体は前記固定具本体に係止されてなることを特徴とするマグネット固定具を提供することができる。
【０００８】
本発明の他の形態によれば、マグネット固定具は、台座、回転部材及び蓋部材に軸通する軸部材により前記回転部材は台座と蓋部材に対して回転自在に保持されてなることを特徴とする。
【０００９】
また、フック体の係止部は、回転部材の切欠部内で回動自在に係止されてなることを特徴とする。
【００１０】
また、回転部材は、扁平円盤形状に形成されてなることを特徴とする。
【００１１】
また、蓋部材の回転部材に対向する面には支柱部が設けられてなるとともに、前記回転部材には前記支柱部より大径の孔部が形成されてなり、前記支柱部が前記回転部材の前記孔部に挿入されてなることを特徴とする。
【００１２】
また、係止部は、フック体の連結部内方の対向する位置に曲折されてなり、切欠部は回転部材の対向する位置に形成されてなることを特徴とする。
【００１３】
また、台座は、磁石収納部を有することを特徴とする。
【００１４】
また、台座の磁石収納部は、シート体で閉蓋されてなることを特徴とする。
【００１５】
さらに、シート体は、天然／合成ゴムまたは弾性類似素材にアルキド樹脂を主成分として硬化剤およびポリイソシアネートプレポリマーを混合して硬化させたウレタン系塗装剤を塗布したシートからなることを特徴とする。
【００１６】
磁石は、ヨークに収納された状態で台座に装着されてなることを特徴とする。
【００１７】
軸部材はネジであることを特徴とする。
【発明の効果】
【００１８】
本発明に係るマグネット固定具は、固定具本体に対してフック体を回転自在に保持するとともに、固定具本体とフックに余計な負荷をかけることなく製造することができ、かつ、フック体が滑らかに回転するマグネット固定具を提供することができる。
【図面の簡単な説明】
【００１９】
【図１】本発明の一つの実施の形態を示すマグネット固定具を示す斜視図である。
【図２】図１に示すマグネット固定具を垂直面に磁着した状態の側面図である。
【図３】図１に示すマグネット固定具を水平面に磁着した状態の側面図である。
【図４】図１に示すマグネット固定具を示す分解斜視図である。
【図５】図１に示すマグネット固定具を示す縦断面図である。
【図６】図１に示すマグネット固定具を示す横断面図である。
【図７】図１に示すマグネット固定具の蓋部材の上面斜視図である。
【図８】図１に示すマグネット固定具の蓋部材の下面斜視図である。
【図９】図１に示すマグネット固定具の回転部材の上面平面図である。
【図１０】図９に示す回転部材のＡ−Ａ断面図である。
【図１１】図９に示す回転部材のＢ−Ｂ断面図である。
【図１２】図１に示すマグネット固定具の回転部材の下面平面図である。
【図１３】図１に示すマグネット固定具の回転部材の上面斜視図である。
【図１４】図１に示すマグネット固定具の回転部材の下面斜視図である。
【図１５】図１に示すマグネット固定具のフック体の斜視図である。
【図１６】図９に示す回転部材にフック体をセットした状態を示す平面図である。
【図１７】図１に示すマグネット固定具の台座の上面斜視図である。
【図１８】図１に示すマグネット固定具の台座の下面斜視図である。
【図１９】図１７に示す台座に装着するヨークの上面斜視図である。
【図２０】図１７に示す台座に装着するヨークの下面斜視図である。
【図２１】図１９に示すヨークに収納される磁石の上面斜視図である。
【図２２】図１９に示すヨークに収納される磁石の下面斜視図である。
【図２３】図１に示すマグネット固定具に用いられるネジの下面斜視図である。
【図２４】図２３に示すネジの上面斜視図である。
【図２５】図１に示すマグネット固定具を為す、蓋部材、回転部材、台座及びシート体を示す断面図である。
【図２６】図１に示すマグネット固定具を為す、蓋部材、回転部材台座及びシート体を重ねた状態を示す断面図である。
【図２７】本発明の他の実施の形態のマグネット固定具を為す、蓋部材の上面斜視図及び下面斜視図である。
【図２８】本発明の他の実施の形態のマグネット固定具を為す、回転部材の上面斜視図及び下面斜視図である。
【図２９】本発明の他の実施の形態のマグネット固定具を為す、台座の上面斜視図及び下面斜視図である。
【図３０】本発明の他の実施の形態のマグネット固定具を為す、蓋部材の上面斜視図及び下面斜視図である。
【図３１】本発明の他の実施の形態のマグネット固定具を為す、回転部材の上面斜視図及び下面斜視図である。
【図３２】本発明の他の実施の形態のマグネット固定具を為す、台座の上面斜視図及び下面斜視図である。
【発明を実施するための形態】
【００２０】
本発明に係るマグネット固定具の各種の実施例について図面を参照しつつ具体的に説明する。
【００２１】
図１及び図４に示すように、マグネット固定具１は、磁石２、ヨーク(継鉄)３、台座４、回転部材５、及び蓋部材７からなる固定具本体１０並びにフック体６を備えている。また必要に応じて台座４を閉蓋するシート体９を備えている。マグネット固定具１は、固定具本体１０をホワイトボード、パーテーション、壁及び天井などの磁性面に磁着した状態で、種々の物をフック体６に掛止する用途に用いられる。
【００２２】
マグネット固定具１は、磁石２を装着してなる台座４と、蓋部材７と、台座４と蓋部材７の間に回転自在に保持されてなり一対の切欠部５２ａ，ｂを有する回転部材５とからなる固定具本体１０と、フック部６２とフック部６２に連接された連結部６５と連結部６５内方に曲折された一対の係止部６１ａ，ｂからなるフック体６を有し、フック体６の係止部６１ａ，ｂは回転部材５の切欠部５２ａ，ｂ内に配置されてなり、台座４と蓋部材７の間に回転部材５が保持された状態で、フック体６は固定具本体１０に係止されてなる構造である。
【００２３】
この項においては、説明の都合上、蓋部材７側を上方又は上面、反対側の磁石２装着側を下方又は下面と称するが、マグネット固定具１を磁着する向きはこれに限られるものではなく、図１乃至図３に示すように垂直面、水平面、その他さまざまな角度の磁性面に磁着することができる。以下、各部品の構造とその組立状態について詳細に説明する。
【００２４】
図４、図１７及び図１８を参照すれば、台座４は、合成樹脂材で形成され、下面が開放された有底の凹部を有する円筒形状に形成されており、台座４の凹部が磁石２を収納する磁石収納部を成す。また、台座面４３の略中心には、後述する軸部材としてのネジ８挿通用の孔部４１が開口されている。必要に応じて孔部４１には支柱部７２固定用のロック用切欠４２が十字状に切られる。このロック用切欠４２は、後述するようにマグネット固定具１の組立状態において蓋部材７の支柱部７２に形成される十字状のリブ７５が嵌合され台座４に対して蓋部材７が回転しないようにロックされる。また、台座４は下方に向けてなだらかな広がりを有する。
【００２５】
図４、図５及び図６を参照すれば、磁石２は、磁束漏れを抑制するための磁性体から形成されたヨーク３に収納された状態で台座４に収納される。図１９及び図２０に示すように、ヨーク３は、下面が開放された有底の凹部を有する円筒形状に形成されており、ヨーク天井面３２の略中心部には、ネジ８挿通用の孔部３１が開口されている。
【００２６】
図２１及び図２２に示すように、磁石２は、円盤状の永久磁石である。その略中心部にはネジ８のネジ頭部８２が位置する孔部２１が開口されている。尚、磁石２の形状は孔部２１を有する円盤状に限られず、孔部に代えて凹部を有する円盤状、孔部を有さない単なる円盤状などヨーク３に収まる形状の磁石であればよい。
【００２７】
図５、図６に示すように、台座４、ヨーク３、磁石２は、磁石２が台座４に収納された状態において、台座４下部、ヨーク３下部、磁石２下面がほぼ面一となる大きさと形状に形成されている。尚、実施例１に示す台座４の開放下面は、シート体９により閉蓋される。そのため、台座４の下部の肉厚４４はシート体９を接着可能な幅に形成することが好ましく、台座下部の外周縁にはシート体９の厚み程度の凸条が形成されている。
【００２８】
尚、台座４に磁石２を装着する方法は、磁石収納部への収納による装着に限定されず、円盤状に形成された台座に磁石２を埋設してもよいし、或いは円盤状に形成された台座に磁石を接着してもよい。
【００２９】
図４、図７、図８を参照すれば、蓋部材７は、合成樹脂材で形成され、蓋部材頂部から蓋部材外周縁にかけてなだらかな傾斜を有する曲面状に形成されている。蓋部材７の曲面の下面には、下方すなわち軸方向に突出する円筒状の支柱部７２が形成され、この支柱部７２は、後述するように、マグネット固定具１の組立の際に回転部材５の孔部５１に挿入されて組立時の位置決め部材及び回転部材５の回転軸として機能する。支柱部７２の壁部７４に囲包された略中央部には、ネジ８挿入用の穴部７３が形成され、マグネット固定具１の組立状態においてネジ８の雄ネジ部８１が挿入され雌ネジとして機能する。尚、曲面外周部から壁部７４に亘り、放射状のリブ７６が形成され、壁部７４から穴部７３に亘り、放射状のリブ７５が形成されて蓋部材７の強度を補強している。また、放射状に形成されたリブ７５のうち十字状に位置するリブは、上述した台座４のロック用切欠４２に対応するように、他のリブより高く形成されていて、マグネット固定具１の組立状態において、ロック用切欠４２に嵌合される。
【００３０】
図４、図９〜図１４を参照すれば、回転部材５は、合成樹脂材により扁平円盤形状に形成されている。回転部材５の略中央部にはネジ８挿通用の孔部５１が開口されており、孔部５１は、蓋部材７の支柱部７２が挿入された状態で回転部材５が回転自在に保持されるよう支柱部７２より大径に形成されている。また、回転部材５の対向する位置には外縁から孔部５１方向に向かって一対の切欠部５２ａ，ｂが形成されている。切欠部５２ａ，ｂの内幅は、後述するフック体６の係止部６１ａ，ｂが配置可能な内幅に形成されており、また、切欠部５２ａ，ｂの切欠長は、フック体６の係止部６１ａ，６２ｂの配置長に対応して形成されている。すなわち、この切欠部５２ａ，ｂは、マグネット固定具１が組立状態にない単体の回転部材５の状態では、上下及び外縁方向に開放されている。また、回転部材５の厚みは、マグネット固定具１の組立状態においてフック体６の係止部６１ａ，ｂが遊びをもって揺動又は回動自在に係止される程度の肉厚に形成されている。尚、本実施例において回転部材５の円盤面５３の下面には放射状のリブ５４が形成され回転部材５の強度を補強している。
【００３１】
フック体６は、棒状部材から形成されてなり、一例としては一本の金属棒より折り曲げ形成される。フック体６は、フック頂部６３を中心に対称に形成されており、フック屈曲部６４よりフック頂部６３に向けて上方に向けて延出されるフック部６２と、フック屈曲部６４を経て連接される連結部６５と、連結部６５内方に曲折されてなる係止部６１ａ，ｂを有する。この係止部６１ａ，ｂがマグネット固定具１の組立状態において、切欠部５２ａ，ｂ内に配置されて軸方向すなわち上下方向への移動を規制され固定具本体１０に係止され、連結部６５は内方に曲折されてなることから径方向への抜け落ちが規制される。また、係止部６２ａ，ｂは切欠部５２ａ，ｂ内に遊びをもって配置され軸方向すなわち上下方向へ回動する。また、係止部６１ａ，ｂの曲折位置からフック部６２までの連結部６５は回転部材５の円弧と同程度のアールに形成され、マグネット固定具１の磁着状態において、フック体６が下垂するとき、連結部６５が固定具本体１０の外周に沿って位置し、軸方向すなわち上下方向へ揺動又は回動可能になっている。尚、フック体６のフック部６２には掛止物の滑り止め部材としてのシリコンチューブ(不図示)を被覆してもよい。
【００３２】
図２３及び図２４に示すように、磁石２、ヨーク３、台座４、回転部材５、蓋部材７を軸支する軸部材としてのネジ８は、ネジ頭部８２と雄ネジ部８１を有する。尚、軸部材は、ネジ８に限られず、回転部材５を回転自在に軸支できる部材であればよく、棒などであってもよい。
【００３３】
シート体は、台座４の磁石収納部を閉蓋できるシートであれば材料や材質は特に限定されないが、本実施例においては、天然／合成ゴムまたは弾性類似素材にアルキド樹脂を主成分として硬化剤およびポリイソシアネートプレポリマーを混合して硬化させたウレタン系塗装剤を塗布したシートから形成されており、固定具本体１０を磁着したとき磁性面に対して高い滑り止め効果を発揮する。
【００３４】
尚、マグネット固定具１を構成する各部品の構造は、上記したものに限られない。他の実施例をいくつか示す。図２７〜図２９に示す蓋部材７０、回転部材５０、台座４０は比較的小型のマグネット固定具に用いられる部品である。蓋部材７０の支柱部７０２は、十文字状に凸部を有する筒状に形成され、支柱部７０２の内方には略中央部に形成されたネジ８挿入用の穴部７０３に向かって十文字状のリブが形成されている。回転部材５０は回転部材５と近似する構成であり、樹脂成型時の型抜き用凸部５０５が形成されている。また、台座４０４も台座４と比較的近い構成であり、型抜き用凸部４０５が形成されている。この型抜き用凸部を組立時の位置決め部として用いることもできる。
【００３５】
また、図３０〜図３２に示す蓋部材７００、回転部材５００、台座４００は比較的大型のマグネット固定具に用いられる部品である。蓋部材７００の支柱部７１２は、円筒状内方向に十文字状に突出する凸部を有する筒状に形成され、支柱部７０２の内方には略中央部に形成されたネジ８挿入用の穴部７０３に向かって高さの異なる十文字状のリブが４５°角度を違えて２つ形成されている。回転部材５０は回転部材５と近似する構成であり、樹脂成型時の型抜き用凸部５０５が形成されている。また、台座４０４も台座４と比較的近い構成であり、型抜き用凸部４０５が形成されている。この型抜き用凸部を組立時の位置決め部として用いることもできる。
【００３６】
マグネット固定具１の組立状態について説明する。マグネット固定具１は、ヨーク３に収納されて磁石２が装着されてなる台座４上に、切欠部５２ａ，ｂ内にフック体６の係止部６１が配置されてなる回転部材５が配置され、回転部材５上に蓋部材７が配置され、ヨーク３の孔部３１から挿入されたネジ８は台座４の孔部４１、回転部材５の孔部５１を挿通しネジ８の雄ネジ部８１が蓋部材７の穴部７３に挿入螺合されこれらの部材はネジ８により軸支されている。よって、回転部材５は、台座４と蓋部７の間に、支柱部７２を回転軸として回転自在に保持され、フック体６は、台座４と蓋部材７により軸方向すなわち上下方向への移動を規制される。また、図２５、図２６に示すように、マグネット固定具１の組立状態において、蓋部材７、回転部材５、台座４の側面は、蓋部材７から台座４下部に向かってなだらかな丸みを帯び角部やひっかかりを有さないため、固定具本体１０の磁着状態が解除されマグネット固定具１が脱落する心配が少ない。
【００３７】
マグネット固定具１の組立方法の一例について説明する。蓋体７、回転部材５、台座４は合成樹脂材が型成形することにより成形され、成形後これらの部品について成形表面を清掃する。ヨーク３、台座４、図１６に示すように回転部材５の切欠部５２ａ，ｂ内にフック体６の係止部６１ａ，ｂをセットした回転部材５、蓋部材７を下から順に配置し、蓋部材７の支柱部７２を回転部材５の孔部５１に挿通した状態でのリブ７５を台座４のロック用切欠４２に嵌合し、各部材を組み立てる。次に、ヨーク３下面からネジ８を挿入して、ヨーク３、台座４、回転部材５、蓋部材７をネジ止めする。次にヨーク３に磁石２を吸着する。シート体９を台座４下面に接着する。必要に応じてシート体９に保護フィルム(不図示）を貼着する。よって、各部材に余計な負荷をかけることなく、マグネット固定具１が完成する。尚、各部品の成形方法は型成形には限定されず、組立順も上述したものに限られない。
【００３８】
マグネット固定具１のフック体６の動きについて説明する。回転部材５と蓋部材７の間に回転部材５を介して保持されたフック体６は、回転部材５の回転により、マグネット固定具１の径方向に３６０°回転するようになっている。よって、固定具本体１０を垂直面に磁着したときフック体６は自重で径方向に下垂する。また、回転部材５の切欠部５２ａ，ｂ内で回動自在に係止されてなるフック体６は、係止部６１ａ，ｂの回転により、マグネット固定具１の軸方向に揺動又は回動するようになっている。よって、固定具本体１０を垂直面に磁着したときフック体６は自重で径方向に下垂し、水平面に磁着したときフック体６は軸方向に下垂する。
【００３９】
以上のような構造にしたことから、本発明に係るマグネット固定具１は、固定具本体１０に対してフック体６を回転自在に保持するとともに、固定具本体１０とフックに余計な負荷をかけることなく製造することができ、かつ、フック体６が滑らかに回転するマグネット固定具１を提供することができる。具体的には、回転部材５を切欠部５２ａ，ｂを設けた扁平円盤形状にしマグネット固定具１の組立状態において蓋部材７と台座４がフック体６の脱落防止機構として機能することから、従来品のようにフック体の係止部を挿入するための穴部や凹部を別途設ける必要がなく、組立てやすく、組立時や使用時に破損の少ないシンプルな構造のマグネット固定具１を提供できる。また、回転部材５に対して従来品のようなフック体の係止部を挿入するための穴部や凹部を形成する必要がないことは、回転部材５を薄く形成することにつながり、固定具本体部１０を薄く形成することができる。このことは、回転部材５に係止されるフック体６の係止位置と磁着面との距離を短くする効果を発揮し、台座下面すなわち磁着面に対するフック体６の後傾角度をゼロあるいは非常に小さくすることができる。よって、フック体６に掛止物を掛止したときフック体６は垂直に近い状態で下垂することからマグネット固定具１が脱落することなく掛止物の荷重に充分耐えうる。また、回転部材５が円盤状であるためフック６を係止した状態において回転部材５が楕円形に変形したりゆがんだりすることがない。また回転部材５を円盤状にしたことでフック６が抜け落ちて脱落することがない。さらに各部品にリブを設けてなることから使用する合成樹脂の分量を抑えながら強度の高いマグネット固定具１を提供できる。
【００４０】
切欠部５２ａ，ｂ内に係止部６２ａ，ｂを組み合わせた状態で回転部材５を、台座４と蓋部材７間に軸支、保持させることにより、台座４と蓋部材７がフック体６の軸方向すなわち上下方向の動きを規制して脱落を防止しながら、回転部材５の径方向への滑らかな回転を可能とし、フック体６の上下方向への滑らかな回動を可能とする。よって、本発明のマグネット固定具１を磁性面に磁着し、掛止物を掛止した際には、固定具本体１０がしっかりと磁性面に磁着された状態でフック体６が自重で滑らかに回転するとともに揺動又は回動するようになっている。
【符号の説明】
【００４１】
１    マグネット固定具
１０  固定具本体
２    磁石
２１  孔部
３    ヨーク
３１  孔部
３２  ヨーク天井面
４，４０，４００  台座
４１  孔部
４２  切欠
４３  台座面
４４  台座の肉厚
５，５０，５００  回転部材
５１  孔部
５２ａ，ｂ  切欠部
５３  円盤面
５４  リブ
６  フック体
６１ａ，ｂ  係止部
６２  フック部
６３  フック頂部
６４  屈曲部
６５  連結部
７，７０，７００  蓋部材
７１  曲面部
７２  支柱部
７３  穴部
７４  壁部
７５  リブ
８  ネジ
８１  雄ネジ部
８２  ネジ頭部
９  シート体
【図１】
2018019834.tif 000003
【図２】
2018019834.tif 000004
【図３】
2018019834.tif 000005
【図４】
2018019834.tif 000006
【図５】
2018019834.tif 000007
【図６】
2018019834.tif 000008
【図７】
2018019834.tif 000009
【図８】
2018019834.tif 000010
【図９】
2018019834.tif 000011
【図１０】
2018019834.tif 000012
【図１１】
2018019834.tif 000013
【図１２】
2018019834.tif 000014
【図１３】
2018019834.tif 000015
【図１４】
2018019834.tif 000016
【図１５】
2018019834.tif 000017
【図１６】
2018019834.tif 000018
【図１７】
2018019834.tif 000019
【図１８】
2018019834.tif 000020
【図１９】
2018019834.tif 000021
【図２０】
2018019834.tif 000022
【図２１】
2018019834.tif 000023
【図２２】
2018019834.tif 000024
【図２３】
2018019834.tif 000025
【図２４】
2018019834.tif 000026
【図２５】
2018019834.tif 000027
【図２６】
2018019834.tif 000028
【図２７】
2018019834.tif 000029
【図２８】
2018019834.tif 000030
【図２９】
2018019834.tif 000031
【図３０】
2018019834.tif 000032
【図３１】
2018019834.tif 000033
【図３２】
2018019834.tif 000034